(57)【特許請求の範囲】
【請求項１】
屋根面（１，２）が棟を介して区分けされ、太陽電池パネル（３）を葺いて一方の屋根面（１）を構成する一方の野地板（７）の棟側端縁に水切部材（４１）が設けられると共に、屋根パネル（５）を葺いて他方の屋根面（２）を構成する他方の野地板（７）の棟側端縁に配備された屋根パネル（５）上に水切り板（３３）が設けられ、両野地板（７，７）の軒側端縁に亘って棟包み部材（３１）が配備され、
一方の野地板（７）に対する水切部材（４１）の突出高さは、他方の野地板（７）に対する水切り板（３３）の突出高さよりも小さく設定されており、水切部材（４１）の上面には、水切部材（４１）と水切り板（３３）の突出高さの差を埋めるだけの高さを有すると共に、棟包み部材（３１）よりも軒側に突出して水切部材（４１）及び該水切部材（４１）よりも軒側に隣接配備された太陽電池パネル（３）の棟側端部を覆うシール手段（５２）が設けられ、
該シール手段（５２）と水切り板（３３）とに跨って棟包み部材（３１）が配備されていることを特徴とする屋根構造。
【請求項２】
屋根面（１，２）が棟を介して区分けされ、太陽電池パネル（３）を葺いて一方の屋根面（１）を構成する一方の野地板（７）の棟側端縁に水切部材（４１）が設けられると共に、屋根パネル（５）を葺いて他方の屋根面（２）を構成する他方の野地板（７）の棟側端縁に配備された屋根パネル（５）上に平のし（７５）が設けられ、両野地板（７，７）の軒側端縁に亘って棟包み部材（３１）が配備され、
一方の野地板（７）に対する水切部材（４１）の突出高さは、他方の野地板（７）に対する平のし（７５）の突出高さよりも小さく設定されており、水切部材（４１）の上面には、水切部材（４１）と平のし（７５）の突出高さの差を埋めるだけの高さを有すると共に、棟包み部材（３１）よりも軒側に突出して水切部材（４１）及び該水切部材（４１）よりも軒側に隣接配備された太陽電池パネル（３）の棟側端部を覆うシール手段（５２）が設けられ、
該シール手段（５２）と平のし（７５）とに跨って棟包み部材（３１）が配備されていることを特徴とする屋根構造。
【請求項３】
前記シール手段（５２）が、調整用水切り受け金具（４２）と調整用水切り板（４６）とにより構成されていることを特徴とする請求項１又は請求項２に記載の屋根構造。
【発明の詳細な説明】
【０００１】
【発明の属する技術分野】
本発明は、複数の屋根面が棟を介して区分けされ、一方の屋根面に、太陽電池の機能と屋根瓦の機能とを併せ持つ屋根材一体型の太陽電池パネルが葺かれ、他方の屋根面に、屋根瓦としての機能を持つ通常の屋根パネルが葺かれた屋根構造に関する。
【０００２】
【従来の技術】
建物の屋根には、複数の屋根面が隅棟や平棟を介して区分けされ、それら複数の屋根面のうちの一部の屋根面に、太陽電池の機能と屋根瓦の機能とを併せ持つ屋根材一体型の太陽電池パネル（電池一体型屋根材、一体型屋根瓦）が葺かれ、残りの屋根面に、屋根瓦としての機能を持つ通常の屋根パネル（通常の屋根材、通常の屋根瓦）が葺かれたものがある。
この種の従来の屋根構造では、太陽電池パネルと通常の屋根パネルとは厚さが異なっているため、太陽電池パネルを葺いた屋根面は、通常の屋根パネルを葺いた屋根面とは高さが多少異なってしまう。このため、従来では、隅棟や平棟に沿って施工される棟包み部材の、一方の屋根面側の高さと、他方の屋根面側の高さとを互いに異ならせていた。
【０００３】
【発明が解決しようとする課題】
従って、従来では、隅棟や平棟に沿って施工される棟包み部材として、一方の屋根面側の高さと他方の屋根面側の高さとを異ならせた特殊な形状の棟包み部材を、製造する必要があり、棟包み部材の製造コストが高くなった。また、通常の形状の棟包み部材みを施工する場合には、施工現場等で、両者の屋根面に適合するように棟包み部材を切ったり、削ったりする必要が生じ、棟包み部材の施工作業が非常に煩雑になった。
【０００４】
本発明は上記問題点に鑑み、棟包み部材を安価かつ簡単に製造できると共に、棟包み部材を施工現場等で容易に施工できるようにしたものである。
【０００５】
【課題を解決するための手段】
この技術的課題を解決する本発明の技術手段は、屋根面１，２が棟を介して区分けされ、太陽電池パネル３を葺いて一方の屋根面１を構成する一方の野地板７の棟側端縁に水切部材４１が設けられると共に、屋根パネル５を葺いて他方の屋根面２を構成する他方の野地板７の棟側端縁に配備された屋根パネル５上に水切り板３３が設けられ、両野地板７，７の軒側端縁に亘って棟包み部材３１が配備され、
一方の野地板７に対する水切部材４１の突出高さは、他方の野地板７に対する水切り板３３の突出高さよりも小さく設定されており、水切部材４１の上面には、水切部材４１と水切り板３３の突出高さの差を埋めるだけの高さを有すると共に、棟包み部材３１よりも軒側に突出して水切部材４１及び該水切部材４１よりも軒側に隣接配備された太陽電池パネル３の棟側端部を覆うシール手段５２が設けられ、
該シール手段５２と水切り板３３とに跨って棟包み部材３１が配備されているようにした点にある。
【０００６】
本発明の他の技術手段は、屋根面１，２が棟を介して区分けされ、太陽電池パネル３を葺いて一方の屋根面１を構成する一方の野地板７の棟側端縁に水切部材４１が設けられると共に、屋根パネル５を葺いて他方の屋根面２を構成する他方の野地板７の棟側端縁に配備された屋根パネル５上に平のし７５が設けられ、両野地板７，７の軒側端縁に亘って棟包み部材３１が配備され、
一方の野地板７に対する水切部材４１の突出高さは、他方の野地板７に対する平のし７５の突出高さよりも小さく設定されており、水切部材４１の上面には、水切部材４１と平のし７５の突出高さの差を埋めるだけの高さを有すると共に、棟包み部材３１よりも軒側に突出して水切部材４１及び該水切部材４１よりも軒側に隣接配備された太陽電池パネル３の棟側端部を覆うシール手段５２が設けられ、
該シール手段５２と平のし７５とに跨って棟包み部材３１が配備されている点にある。
【０００７】
また、本発明の他の技術手段は、前記シール手段５２が、調整用水切り受け金具４２と調整用水切り板４６により構成されている点にある。
【０００８】
【発明の実施の形態】
以下、本発明を図示の実施の形態に従って説明する。
図１〜図１０は本発明の一実施の形態を示している。図１〜図３において、本実施形態の屋根構造は、平面形状が矩形に形成された一対の屋根面１，２を平棟を介して有する切妻屋根よりなり、このうちの一方の屋根面１に、太陽電池の機能と屋根瓦の機能とを併せ持つ屋根材一体型の太陽電池パネル３が葺かれ、他方の屋根面２に、屋根瓦としての機能を持つ通常の屋根パネル５が葺かれている。
【０００９】
なお、一方の屋根面１には、太陽電池パネル３が全域にわたって葺かれてもよいし、一部の領域例えば屋根面１の中央部側にのみ太陽電池パネル３が葺かれ、他の領域例えば屋根面１の周辺部に通常の屋根パネル５が葺かれてもよい。
通常の屋根パネル５として、例えば、セメント系硬化材やセラミックス等を一定温度で加熱養生して製造された窯業系材料により構成された平板形状の屋根瓦（例えば、（株）クボタ製のコロニアル（商品名））が採用される。なお、各屋根面１，２の形状は正方形であってもよい。
【００１０】
太陽電池パネル３は、通常の屋根パネル５と同様に、野地板７の上面に敷設したアスファルトルーフィング等よりなる防水シート８上に釘止め又はねじ止め９によって直接固定されている（図７参照）。
すなわち、図６に示すように、本実施形態で使用する太陽電池パネル３は、通常の屋根パネル５と同じように野地板７にレール無しで葺き上げることができる屋根瓦としての機能を併せ持つ屋根材一体型のもので、ソーラーセルをガラスで封入してなる太陽電池１０を板金製の矩形の瓦基板１１の上面に張り付けて構成されたパネル本体１２と、このパネル本体１２の裏面側に着脱自在に接合されてその下地となるベース部材１３と、を備えている。
【００１１】
図６〜図９に示すように、瓦基板１１の棟側端部には、軒側（図８の左側）に開口したコの字状に折り返された水返し片１４が屈曲形成され、この水返し片１４に太陽電池１０の棟側端部が嵌合されている。この水返し片１４の上側平坦部は棟側重合片１５とされ、瓦基板１１における水返し片１４よりも更に棟側の部分には、上方に開口する排水横樋１６が一体に形成されている。
一方、瓦基板１１の軒側端部には、取り付け片１７と折り返し片１８と軒側重合片１９とが一体に形成されている。このうち、取り付け片１７は瓦基板１１の軒側端部を下方に屈曲して形成され、折り返し片１８はその取り付け片１７の下端部を棟側に折り返して形成され、軒側重合片１９はその折り返し片１８の先端部を軒側に折り返して形成されている。
【００１２】
図６に示すように、ベース部材１３は、パネル本体１２の踏み強度や断熱性を保つための下地材として機能するもので、軒側端部から棟側端部に向けて徐々に肉厚が薄くなる断面楔形の板状に形成された発泡樹脂よりなる。このベース部材１３の幅方向中央部の軒側には、パネル本体１２側の端子ボックス（図示せず）を収納する収納凹部２０が設けられている。
このベース部材１３の左右両側には、帯状の金属板材よりなる補強プレート２２が固定されている。この補強プレート２２の軒側端部には、野地板７及びパネル本体１２に対する固定部を構成する吊り子２３が固定され、同補強プレート２２の棟側端部には、パネル本体１２の棟側端部を掛止する掛止片２４が形成されている。
【００１３】
図７に示すように、吊り子２３は、帯状の金属板材をほぼコ字形に屈曲形成してなり、野地板７に対する釘止め部２５を前端部に備えている。また、吊り子２３の上端部には、前記取り付け片１７がストッパー金具２６を介して止めねじ２７で固定されている。
従って、瓦基板１１と太陽電池１０とからなるパネル本体１２は、瓦基板１２の棟側端部に形成された排水横樋１６を補強プレート２２の掛止片２４に嵌合させた状態で、瓦基板１１の軒側端部に形成された取り付け片１７を吊り子２３の上端部に止めねじ２７で固定することにより、ベース部材１３に対して着脱自在に取り付けられている。
【００１４】
また、取り付け片１７とともに吊り子２３にねじ止めされる前記ストッパー金具２６は棟側に突出する爪部を有しており、この爪部に瓦基板１１の上面に接着剤等で張り付けた太陽電池１０の軒側端部を引っ掛けることにより、太陽電池１０が瓦基板１１に対して屋根流れ方向にずれるのを規制している。
図６に示すように、ベース部材１２の幅方向縁部には、金属製の排水縦樋２８が接着剤等で固定され、この排水縦樋２８の棟側端部に、前記排水横樋１６の開放端部がやや上下に離間した状態で接続されている。また、この排水縦樋２８の軒側端部は、一つ下段に位置する太陽電池パネル３の排水縦樋２８又は排水横樋１６に届く程度にまでベース部材１３の前端面から突出している。
【００１５】
図７〜図９に示すように、屋根流れ方向に隣接する太陽電池パネル３，３同士の接続は、それらの重合部分に断面ほぼコ字状に屈曲形成された長尺の接続部材２９を軒側から差し込むことによって行われる。
すなわち、本実施形態の太陽電池パネル３は、当該電池パネル３の棟側端部を一つ棟側に既に設置されている他の電池パネル３の軒側端部に差し込むことにより、当該電池パネル３の棟側重合片１５を他の太陽電池パネル３の軒側重合片１９の下面側に重合させ、このようにして重合された両重合片１５，１９に接続部材２９を軒側から差し込むことにより、他の電池パネル３に対して接合するようになっている。
【００１６】
従って、本実施形態の太陽電池パネル３によれば、棟側（屋根流れ方向上側）から軒側（同方向下側）に向かって順次葺き下げて行くことができるので、当該パネル３を軒側から棟側に向かって葺き上げて行く場合に比べて施工が極めて楽になるとともに、作業者が当該パネル３を踏みつけることに伴う太陽電池１０の破損や断線事故を可及的に防止することができる。
図３に示すように、太陽電池パネル３を並設してなる領域４は、大棟を構成する棟包み部材３１に接合されていて、図１及び図２はこの場合の棟部の納まりを示している。
【００１７】
図１及び図２において、太陽電池パネル３が設置されない他方の屋根面２には、通常の屋根パネル５が野地板７の棟側端縁に至るまで配置されており、この屋根パネル５の棟側端部に固定した笠木３２に、水切り板３３の側面部が釘３４で止められている。笠木３２の上面に棟固定部材（棟固定アングル）３５が水切り板３３と共に釘３６で止められている。棟固定部材３５に前記棟包み部材３１の側面部がねじ３７により止められている。
これに対して、太陽電池パネル３が設置される一方の屋根面１を構成する野地板７の棟側端縁には長尺の水切部材４１が固定されており、この水切部材４１の上面側に、調整用水切り受け金具４２がねじ４４により止められている。この水切部材４１のカバー部４１ａで太陽電池パネル３の棟側端部を上から被覆した状態で、同パネル３が水切部材４１に接合されている。
【００１８】
調整用水切り受け金具４２を上から覆うように調整用水切り板４６が配置され、調整用水切り板４６はねじ４７により調整用水切り受け金具４２に固定されている。調整用水切り受け金具４２の上面に棟固定部材（棟固定アングル）４８が水切り板３３と共にねじ４９で止められている。棟固定部材４８に前記棟包み部材３１の側面部がねじ５０により止められている。
前記調整用水切り受け金具４２と調整用水切り板４６とにより、屋根面１と棟包み部材３１との間の隙間を埋めるシール手段５２が構成されている。即ち、棟包み部材３１が、前記屋根面１又は屋根面２のうちの高い方の屋根面２の棟高さに合わせるように設置され、低い方の屋根面１と棟包み部材３１との間に生じる隙間を、シール手段５２で埋めているのである。
【００１９】
図４は、領域４の軒側縁部に位置する太陽電池パネル３とこのパネル３に隣接する軒板５６との接続構造を示している。
同図に示すように、軒先側の野地板７上に、ルーフィング５５を介して軒板５６が配置され、軒板５６の軒先側端部に、軒先水切り板５７が取り付けられている。軒板５６上の棟側に、太陽電池パネル３の軒先側が配置され、太陽電池パネル３の吊り子２３は軒板５６と共に釘５８により野地板７に取り付けられている。軒板５６上の太陽電池パネル３よりも軒先側に調整用水切り受け金具６１が配置され、この調整用水切り受け金具６１はねじ釘５９により軒板５６と共に野地板７に固定されている。調整用水切り受け金具６１上に調整用水切り板６２が設けられ、調整用水切り板６２はねじ６３により調整用水切り受け金具６１上に固定されている。この調整用水切り板６２は、棟側に設けた前記水切り板３３と同一形状であり、両者は互いに兼用できるようになっている。
【００２０】
調整用水切り板６２は、太陽電池パネル３の軒側重合片１９に前記接続部材２９を介して連結される棟側掛止部６４を備えた金属製の板材よりなり、軒側から吹き上げてくる風雨が太陽電池パネル３の裏面側に入り込むのを防止する。
すなわち、調整用水切り板６２は、その軒側掛止部６４を太陽電池パネル３の軒側重合片１９の下面側に重合させた状態で、太陽電池パネル３と軒板５６との接合部分に介装されていて、互いに重合された軒側重合片１９と棟側掛止部３７とに前記接続部材２９を軒側から差し込むことより、太陽電池パネル３の軒先側端部に接続されている。
【００２１】
他方、図５は、領域４の幅方向両縁部に位置する太陽電池パネル３とこのパネル３に隣接するけらば水切り板６５との接続構造を示している。
同図において、野地板７のけらば側端部上に、登木６６が配置されて、登木６６は釘６７により野地板７に固定され、けらば水切り板６５は登木６６を覆うように配置されて、釘６８により登木６６に固定されている。
けらば側の端部に位置する太陽電池パネル３は、けらば側端部に適合するように切断される。太陽電池パネル３のベース部材１２の下面には、横方向に複数の凹溝６９が形成され、けらば水切り板６５の幅方向内端側の突出片７１は、野地板７と太陽電池パネル３との間に配置され、突出片７１の内端部はＶ字状に折り返された係合部７２が形成され、この係合部７２がベース部材１３のいずれかの凹溝６９内に係合保持されるようになっている。
【００２２】
従って、ベース部材１３を長さ調整するために切断した際に、けらば水切り板６５の突出片７１の係合部７２をいずれかの凹溝６９内に係合保持することができる。このため、例えば、図５に示すようにベース部材１３を切断しない場合には、けらば水切り板６５の係合部７２を幅方向に長い凹溝６９に係合保持し、図１０に示すように、ベース部材１３を短めに切断した場合には、けらば水切り板６５の係合部７２を他の凹溝６９に係合保持すればよく、ベース部材１３の切断加工の手間を省けるようになっている。
【００２３】
前記実施の形態によれば、太陽電池パネル３を葺いた屋根面１は、通常の屋根パネル５を葺いた屋根面２とは高さが異なっているが、低い方の屋根面１と棟包み部材３１との間に生じる隙間を、シール手段５２で埋めているので、低い方の屋根面１と高い方の屋根面２とに跨るように設置される棟包み部材３１は、低い方の屋根面１側と高い方の屋根面２とで高さを異ならせる必要がなくなる。従って、棟包み部材３１として一方の屋根面１側と他方の屋根面２側との高さを異ならせた特殊な形状のものを製造する必要がなくなって、通常の形状のもので済み、棟包み部材３１の製造コストが安上がりになる。また、低い方の屋根面１と棟包み部材３１との間に生じる隙間を、シール手段５２で埋めているため、通常の形状の棟包み部材３１を施工しても、施工現場等で、両者の屋根面１，２に適合するように棟包み部材３１を切ったり、削ったりする必要もなくなり、棟包み部材３１の施工が非常に簡単になる。
【００２４】
図１１及び図１２は他の実施の形態を示し、前記実施の形態の場合と同様に、平棟を介して有する一対の屋根面１，２のうちの一方の屋根面１に、太陽電池パネル３が葺かれ、他方の屋根面２に、通常の屋根パネル５が葺かれ、平棟に沿って棟包み部材３１が屋根面１，２に跨るように設置されている。
他方の屋根面２に葺かれた通常の屋根パネル５は、厚型の屋根材により構成され、屋根パネル５と棟包み部材３１との間に平のし（半割）７５が介在され、平のし７５と屋根パネル５との間に色モルタル７６が設けられている。平のし７５の一端部は棟桟７７に接当されている。
【００２５】
これに対して、太陽電池パネル３が設置される一方の屋根面１を構成する野地板７の棟側端縁には長尺の水切部材４１が固定されており、この水切部材４１の上面側に、調整用水切り受け金具４２がねじ４４により止められている。この水切部材４１のカバー部４１ａで太陽電池パネル３の棟側端部を上から被覆した状態で、同パネル３が水切部材４１に接合されている。
調整用水切り受け金具４２を上から覆うように調整用水切り板４６が配置され、調整用水切り板４６はねじ４７により調整用水切り受け金具４２に固定されている。
【００２６】
調整用水切り受け金具４２と調整用水切り板４６とは、太陽電池パネル３の水切部材４１と棟包み部材３１との間に介在され、調整用水切り受け金具４２と調整用水切り板４６とにより、屋根面１と棟包み部材３１との間の隙間を埋めるシール手段５２が構成されている。即ち、棟包み部材３１が、前記屋根面１又は屋根面２のうちの高い方の屋根面２の棟高さに合わせるように設置され、低い方の屋根面１と棟包み部材３１との間に生じる隙間を、シール手段５２で埋めているのである。
【００２７】
その他の点は前記実施の形態の場合と同様の構成である。
図１３及び図１４は他の実施の形態を示し、前記実施の形態の場合と同様に、平棟を介して有する一対の屋根面１，２のうちの一方の屋根面１に、太陽電池パネル３が葺かれ、他方の屋根面２に、通常の屋根パネル５が葺かれ、平棟に沿って、換気部材を兼用した棟包み部材３１が屋根面１，２に跨るように設置されている。
通常の屋根パネル５が葺かれた他方の屋根面２には、屋根パネル５の棟側端部に固定した笠木３２に、水切り板３３の側面部が釘３４で止められている。笠木３２の上面に棟固定部材（棟固定アングル）３５が水切り板３３と共に釘３６で止められている。棟固定部材３５に前記棟包み部材３１の側面部がねじ３７により止められている。
【００２８】
これに対して、太陽電池パネル３が設置される一方の屋根面１を構成する野地板７の棟側端縁には長尺の水切部材４１が固定されており、この水切部材４１の上面側に、調整用水切り受け金具４２がねじ４４により止められている。この水切部材４１のカバー部４１ａで太陽電池パネル３の棟側端部を上から被覆した状態で、同パネル３が水切部材４１に接合されている。
調整用水切り受け金具４２を上から覆うように調整用水切り板４６が配置され、調整用水切り板４６はねじ４７により調整用水切り受け金具４２に固定されている。調整用水切り受け金具４２の上面に棟固定部材（棟固定アングル）４８が調整用水切り板４６と共にねじ４９で止められている。棟固定部材４８に前記棟包み部材３１の側面部がねじ５０により止められている。
【００２９】
前記調整用水切り受け金具４２と調整用水切り板４６とにより、屋根面１と棟包み部材３１との間の隙間を埋めるシール手段５２が構成されている。即ち、棟包み部材３１が、前記屋根面１又は屋根面２のうちの高い方の屋根面２の棟高さに合わせるように設置され、低い方の屋根面１と棟包み部材３１との間に生じる隙間を、シール手段５２で埋めているのである。
その他の点は前記実施の形態の場合と同様の構成である。
図１５及び図１６は参考例を示し、隅棟を介して有する一対の屋根面１，２のうちの一方の屋根面１に、太陽電池パネル３が葺かれ、他方の屋根面２に、通常の屋根パネル５が葺かれ、隅棟に沿って、棟包み部材３１が屋根面１，２に跨るように設置されている。
【００３０】
通常の屋根パネル５が葺かれた他方の屋根面２には、屋根パネル５の棟側端部に固定した笠木３２に、調整用水切り板８０の側面部が釘３４で止められている。笠木３２の上面に棟固定部材（棟固定アングル）３５が調整用水切り板８０と共に釘３６で止められている。棟固定部材３５に前記棟包み部材３１の側面部がねじ３７により止められている。
これに対して、太陽電池パネル３が設置される一方の屋根面１を構成する野地板７の棟側端縁には隅棟用受け金具８１が固定されており、この隅棟用受け金具８１の上面側に、棟固定部材（棟固定アングル）８２がねじ８３により止められている。棟固定部材８２に前記棟包み部材３１の側面部がねじ８４により止められている。棟固定部材８２と太陽電池パネル３側との間に隅棟用防水シーラー８８が設けられている。
【００３１】
前記調整用水切り板８０により、屋根面１と棟包み部材３１との間の隙間を埋めるシール手段５２が構成されている。即ち、棟包み部材３１が、前記屋根面１又は屋根面２のうちの高い方の屋根面１の棟高さに合わせるように設置され、低い方の屋根面２と棟包み部材３１との間に生じる隙間を、シール手段５２（調整用水切り板８０）で埋めているのである。
その他の点は前記実施の形態の場合と同様の構成である。
なお、図１５、図１６、図１７及び図１８において、８５は隅棟用捨水切り、８６は吊り子である。
【００３２】
図１７及び図１８は他の参考例を示し、隅棟を介して有する一対の屋根面１，２のうちの一方の屋根面１に、太陽電池パネル３が葺かれ、他方の屋根面２に、通常の屋根パネル５が葺かれ、隅棟に沿って、棟包み部材３１が屋根面１，２に跨るように設置されている。
他方の屋根面２に葺かれた通常の屋根パネル５は、厚型の屋根材により構成され、屋根パネル５と棟包み部材３１との間に隅棟用防水シーラー８７が介在されている
これに対して、太陽電池パネル３が設置される一方の屋根面１を構成する野地板７の棟側端縁には隅棟用受け金具８１が固定されており、この隅棟用受け金具８１の上面側に、調整用水切り受け金具８９がねじ９０により止められている。調整用水切り受け金具８９を上から覆うように調整用水切り板９１が配置され、調整用水切り板９１はねじ９２により調整用水切り受け金具８９に固定されている。調整用水切り板９１の上面に棟包み部材３１が配置され、調整用水切り板９１と棟包み部材３１との間に隅棟用防水シーラー８７が介在されている。調整用水切り金具８９と太陽電池パネル３側との間に隅棟用防水シーラー８８が設けられている。
【００３３】
前記調整用水切り受け金具８９と調整用水切り板９１とにより、屋根面１と棟包み部材３１との間の隙間を埋めるシール手段５２が構成されている。即ち、棟包み部材３１が、前記屋根面１又は屋根面２のうちの高い方の屋根面２の棟高さに合わせるように設置され、低い方の屋根面１と棟包み部材３１との間に生じる隙間を、シール手段５２で埋めているのである。
その他の点は前記実施の形態の場合と同様の構成である。
なお、前記図１〜図１１の実施の形態では、棟側に設けた水切り板３３を、軒板５６側に設けられる調整用水切り板６２に兼用できるようにしているが、これに代え、棟側に設けたシール手段５２の調整用水切り板４６，８０，９１を、軒板側に設けられる調整用水切り板に兼用するようにしてもよい。
【００３４】
【発明の効果】
本発明によれば、太陽電池パネル３が葺かれた屋根面１と通常の屋根パネル５が葺かれた屋根面２との間に設置される棟包み部材３１を、安価かつ簡単に製造できると共に、該棟包み部材３１を施工現場等で容易に施工できるようになる。
【図面の簡単な説明】
【図１】  本発明の一実施の形態を示す図３のＡ−Ａ線断面図である。
【図２】  同図１に対応する棟部分の分解図である。
【図３】  同屋根の平面図である。
【図４】  同図３のＢ−Ｂ線断面図である。
【図５】  同図３のＣ−Ｃ線断面図である。
【図６】  同太陽電池パネルの分解斜視図である。
【図７】  同太陽電池パネルの屋根流れ方向の接続構造を示す断面図である。
【図８】  同接続部材を差し込んだ後の太陽電池パネルの接続部の拡大断面図である。
【図９】  同接続部材を差し込む前の太陽電池パネルの接続部の拡大断面図である。
【図１０】  同作用説明用の図３のＣ−Ｃ線断面図である。
【図１１】  他の実施の形態を示す棟部分の断面図である。
【図１２】  同棟部分の分解図である。
【図１３】  他の実施の形態を示す棟部分の断面図である。
【図１４】  同棟部分の分解図である。
【図１５】  参考例を示す棟部分の断面図である。
【図１６】  同棟部分の分解図である。
【図１７】  他の参考例を示す棟部分の断面図である。
【図１８】  同棟部分の分解図である。
【符号の説明】
１      屋根面
２      屋根面
３      太陽電池パネル
５      屋根パネル
４２      調整用水切り受け金具
４６      調整用水切り
５２      シール手段
６１      調整用水切り受け金具
６２      調整用水切り板
８０      調整用水切り板
８１      調整用水切り金具
９１      調整用水切り板
【図１】
0003949435.tif 000002
【図２】
0003949435.tif 000003
【図３】
0003949435.tif 000004
【図４】
0003949435.tif 000005
【図５】
0003949435.tif 000006
【図６】
0003949435.tif 000007
【図７】
0003949435.tif 000008
【図８】
0003949435.tif 000009
【図９】
0003949435.tif 000010
【図１０】
0003949435.tif 000011
【図１１】
0003949435.tif 000012
【図１２】
0003949435.tif 000013
【図１３】
0003949435.tif 000014
【図１４】
0003949435.tif 000015
【図１５】
0003949435.tif 000016
【図１６】
0003949435.tif 000017
【図１７】
0003949435.tif 000018
【図１８】
0003949435.tif 000019